(57)【要約】  本願明細書の実施形態は、無線通信ネットワークにおいてユーザ機器（ＵＥ）とのダウンリンクＣｏＭＰ（coordinated  multipoint）通信をサポートするためにシグナリングする装置、システム及び方法を記載する。実施形態では、ＵＥは、ダウンリンクＣｏＭＰ通信をサポートするためにｅＮＢ（evolved  Node  B）にＣＳＩフィードバックを提供するのに用いるべき複数のＣＳＩ（channel  state  information）プロセスを伴い（例えば、ＲＲＣ（radio  resource  control）シグナリングを介して）構成されても良い。ＵＥは、ＣＳＩプロセスの複数のセットで構成されても良い。ＵＥは、該ＵＥがＣＳＩフィードバックを提供すべきＣＳＩプロセスの構成されたセットのうちの１つをＵＥに示すＤＣＩ（downlink  control  information）メッセージをｅＮＢから更に受信しても良い。ＵＥは、ＣＳＩプロセスの示されたセットについてＣＳＩフィードバックを生成し、ＣＳＩレポート内でｅＮＢへＣＳＩフィードバックを送信しても良い。
2015521428.tif 000002
【特許請求の範囲】
【請求項１】
チャネル状態情報のフィードバックを実現するためにユーザ機器（ＵＥ）により用いられる装置であって、
無線通信ネットワークを介してｅＮＢ（evolved  Node  B）と通信するよう構成される通信モジュールと、
前記通信モジュールに結合されるフィードバックモジュールであって、
前記無線通信ネットワークを介して、前記ｅＮＢからＤＣＩ（downlink  control  information）メッセージを受信し、前記ＤＣＩメッセージは２ビットのＣＳＩ（channel  state  information）要求フィールドを有し、前記ＣＳＩ要求フィールドは、
前記フィードバックモジュールが、サービングセルに関連する予め構成されるＣＳＩプロセスの第１のセットについてのＣＳＩレポートを提供することを示すための第１の値と、
前記フィードバックモジュールが、予め構成されるＣＳＩプロセスの第２のセットについてのＣＳＩレポートを提供することを示すための第２の値と、又は
前記フィードバックモジュールが、予め構成されるＣＳＩプロセスの第３のセットについてのＣＳＩレポートを提供することを示すための第３の値と、を有し、
前記ＣＳＩ要求フィールドにより示されるＣＳＩプロセスについてＣＳＩフィードバックを生成し、
前記通信モジュールを介して、ＰＵＳＣＨ（physical  uplink  shared  channel）で前記ｅＮＢへＣＳＩレポートを送信し、前記ＣＳＩレポートは、前記生成したＣＳＩフィードバックを含む、
よう構成されるフィードバックモジュールと、
を有する装置。
【請求項２】
前記ＤＣＩメッセージは第１のＤＣＩメッセージであり、前記フィードバックモジュールは第２のＤＣＩメッセージを受信するよう構成され、前記第２のＤＣＩメッセージは、いかなるＣＳＩレポートも第２のＤＣＩメッセージによりトリガされないことを示すために第４の値を有するＣＳＩ要求フィールドを有する、請求項１に記載の装置。
【請求項３】
ＣＳＩプロセスの前記第２及び第３のセットは、前記ＵＥとのＲＲＣ（radio  resource  control）シグナリングを介して構成される、請求項１に記載の装置。
【請求項４】
前記第１のセットは、前記ＵＥとのＲＲＣ（radio  resource  control）シグナリングを介して構成されるとき、前記サービングセルに関連する全てのＣＳＩプロセスより少ないサブセットを有する、請求項３に記載の装置。
【請求項５】
ＣＳＩプロセスのサブセットは、前記サービングセルを含む複数のセルのうちの個々のセルに関連する前記ＵＥのために、ＲＲＣシグナリングを介して構成され、前記ＵＥは、前記サービングセルで前記ＤＣＩメッセージを受信するのに基づき、前記サービングセルのために予め構成されたＣＳＩプロセスの前記第１のセットを識別する、請求項４に記載の装置。
【請求項６】
前記第１のセットは、前記サービングセルに関連する全てのＣＳＩプロセスを有する、請求項３に記載の装置。
【請求項７】
予め構成されたＣＳＩプロセスの前記第２及び第３のセットは、１又は複数の共通のＣＳＩプロセスを有する、請求項１に記載の装置。
【請求項８】
前記生成されたＣＳＩフィードバックは、ＣＱＩ（channel  quality  indicator）、ＰＭＩ（precoding  matrix  indicator）、１又は複数の選択されたサブバンド、又はＲＩ（rank  indicator）を有し、
個々のＣＳＩプロセスは、ＣＳＩ−ＲＳ（CSI  reference  signal）リソース及びＣＳＩ−ＩＭ（CSI  interference  measurement）リソースに関連付けられる、
請求項１に記載の装置。
【請求項９】
前記ＣＳＩフィードバックは、前記ＵＥへのダウンリンクＣｏＭＰ（coordinated  multipoint）送信をサポートする、請求項１乃至８のいずれか一項に記載の装置。
【請求項１０】
前記ＣＳＩレポートは、ＣＳＩプロセスインデックスの昇順に連結された複数のＣＳＩプロセスについてのＣＳＩフィードバックを有する、請求項１乃至８のいずれか一項に記載の装置。
【請求項１１】
無線通信ネットワークのｅＮＢ（evolved  Node  B）により用いられる装置であって、
前記無線通信ネットワークを介するユーザ機器（ＵＥ）とのダウンリンクＣｏＭＰ（coordinated  multipoint）通信を管理するよう構成されるＣｏＭＰモジュールと、
前記ＣｏＭＰモジュールに結合される非周期的フィードバックモジュールであって、
前記ＵＥへＤＣＩ（downlink  control  information）メッセージを送信し、前記ＤＣＩメッセージは２ビットのＣＳＩ（channel  state  information）要求フィールドを有し、前記ＣＳＩ要求フィールドは、
前記ＵＥが、サービングセルに関連する予め構成されるＣＳＩプロセスの第１のセットについてのＣＳＩレポートを提供することを示すための第１の値と、
前記ＵＥが、予め構成されるＣＳＩプロセスの第２のセットについてのＣＳＩレポートを提供することを示すための第２の値と、又は
前記ＵＥが、予め構成されるＣＳＩプロセスの第３のセットについてのＣＳＩレポートを提供することを示すための第３の値と、を有し、
ＰＵＳＣＨ（physical  uplink  shared  channel）で前記ＵＥからＣＳＩレポートを受信し、前記ＣＳＩレポートは、前記ＣＳＩ要求フィールドにより識別されるＣＳＩプロセスについてのＣＳＩフィードバックを含み、前記ＣＳＩレポートは、前記ＵＥとの前記ダウンリンクＣｏＭＰ通信をサポートする、
よう構成される非周期的フィードバックモジュールと、
を有する装置。
【請求項１２】
前記ＤＣＩメッセージは第１のＤＣＩメッセージであり、前記非周期的フィードバックモジュールは第２のＤＣＩメッセージを受信するよう更に構成され、前記第２のＤＣＩメッセージは、いかなるＣＳＩレポートも前記第２のＤＣＩメッセージによりトリガされないことを示すための第４の値を有するＣＳＩ要求フィールドを有する、請求項１１に記載の装置。
【請求項１３】
前記第１のセットは、前記サービングセルに関連する全てのＣＳＩプロセスより少ないサブセットを有する、請求項１１に記載の装置。
【請求項１４】
予め構成されたＣＳＩプロセスの前記第２及び第３のセットは、１又は複数の共通のＣＳＩプロセスを有する、請求項１１乃至１３のいずれか一項に記載の装置。
【請求項１５】
前記ＣｏＭＰ管理モジュールは、上位レイヤのシグナリングを介して前記ＵＥにおいて個々のＣＳＩプロセスを構成するよう更に構成され、前記ＣｏＭＰ管理モジュールは、ＣＳＩレポートのために前記ＵＥにより使用されるべきコードブック内のプリコーディングマトリックス指示子のサブセットを示すために、個々のＣＳＩプロセスに関連するcodebookSubsetRestnctionパラメータを送信するよう更に構成される、請求項１１に記載の装置。
【請求項１６】
ユーザ機器（ＵＥ）により用いられる装置であって、
無線通信ネットワークを介してｅＮＢ（evolved  Node  B）から第１のビットマップを受信する手段であって、前記第１のビットマップは、ＣＳＩ（channel  state  information）プロセスの第１のセットに含まれる１又は複数のＣＳＩプロセスを示す、手段と、
前記ｅＮＢから、ＣＳＩプロセスの第２のセットに含まれる１又は複数のＣＳＩプロセスを示す第２のビットマップを受信する手段と、
前記ｅＮＢからＤＣＩ（downlink  control  information）メッセージを受信する手段であって、前記ＤＣＩメッセージは、前記ＵＥへのダウンリンクＣｏＭＰ（coordinated  multipoint）送信をサポートするためにＣＳＩフィードバックを要求するための２ビットのＣＳＩ要求フィールドを有し、前記ＣＳＩ要求フィールドは、
前記ＵＥがＣＳＩプロセスの前記第１のセットについてのＣＳＩフィードバックを提供することを示すための第１の値と、又は
前記ＵＥがＣＳＩプロセスの前記第２のセットについてのＣＳＩフィードバックを提供することを示すための第２の値と、を有する、手段と、
前記ＣＳＩ要求フィールドにより示されたＣＳＩプロセスについてＣＳＩフィードバックを生成する手段と、
前記ｅＮＢへ前記生成されたＣＳＩフィードバックを含むＣＳＩレポートを送信する手段と、
を有する装置。
【請求項１７】
前記ＤＣＩメッセージは第１のＤＣＩメッセージであり、前記装置は、第２のＤＣＩメッセージを受信する手段を更に有し、前記第２のＤＣＩメッセージは、前記ＵＥがサービングセルのために構成されたＣＳＩプロセスの第３のセットについてのＣＳＩレポートを提供することを示す第３の値を有するＣＳＩ要求フィールドを有する、請求項１６に記載の装置。
【請求項１８】
第３のＤＣＩメッセージを受信する手段を更に有し、前記第３のＤＣＩメッセージは、いかなるＣＳＩレポートも前記第３のＤＣＩメッセージによりトリガされないことを示す第４の値を有するＣＳＩ要求フィールドを有する、請求項１７に記載の装置。
【請求項１９】
前記ＤＣＩメッセージは第１のＤＣＩメッセージであり、前記装置は、第２のＤＣＩメッセージを受信する手段を更に有し、前記第２のＤＣＩメッセージは、前記ＵＥがＣＳＩプロセスの前記第１のセット及び前記第２のセットについてのＣＳＩレポートを提供することを示す第３の値を有するＣＳＩ要求フィールドを有する、請求項１６に記載の装置。
【請求項２０】
前記第１のビットマップは複数のビットを有し、ＣＳＩプロセスがＣＳＩプロセスの第１のセットに含まれるかどうかを示すために個々のビットは個々のＣＳＩプロセスに対応し、前記複数のビットは前記ビットマップ内でセルインデックスに従って順序付けられ、同じセルインデックスに関連するＣＳＩプロセスに対応する複数のビットは、ＣＳＩプロセス識別子（ＩＤ）により順序付けられる、請求項１６に記載の装置。
【請求項２１】
無線通信ネットワークのユーザ機器（ＵＥ）により用いられる方法であって、
前記ＵＥへのダウンリンクＣｏＭＰ送信をサポートするためにＣＳＩフィードバックをレポートするのに前記ＵＥにより使用するために個々のＣＳＩ（channel  state  information）プロセスに関連する構成情報を受信するステップと、
前記複数の構成されたＣＳＩプロセスについてＣＳＩフィードバックを生成するステップと、
前記ＣＳＩプロセスのＣＳＩプロセスインデックスに従って連結される複数の構成されたＣＳＩプロセスについてのＣＳＩフィードバックを有するＣＳＩレポートを生成するステップと、
前記無線通信ネットワークのｅＮＢ（evolved  Node  B）へ前記ＣＳＩレポートを送信するステップと、
を有する方法。
【請求項２２】
前記ＣＳＩレポートは、異なる成分搬送波のＣＳＩプロセスについてのＣＳＩフィードバックを有し、前記ＣＳＩフィードバックは、ＣＱＩ（channel  quality  indicator）、ＰＭＩ（precoding  matrix  indicator）、又はＲＩ（rank  indicator）を有し、前記ＣＳＩフィードバックは、先ず所与のセルのＣＳＩプロセスのＣＳＩプロセスインデックスの昇順に、次にセルインデックスの昇順に連結される、請求項２１に記載の方法。
【請求項２３】
前記ＣＳＩレポートは、第１のＣＳＩプロセス及び第２のＣＳＩプロセスについてのＣＳＩフィードバックを有し、前記第１及び第２のＣＳＩプロセスの同じＣＳＩフィードバックの共有成分は、前記ＣＳＩレポート内で１回だけレポートされる、請求項２１に記載の方法。
【請求項２４】
前記共有成分は、前記第１及び第２のＣＳＩプロセスに関連するＲＩ（rank  indicator）である、請求項２３に記載の方法。
【請求項２５】
前記ＣＳＩレポートは、ターボ符号化及びＣＲＣ（cyclic  redundancy  check）符号化を用いて符号化される、請求項２１に記載の方法。
【請求項２６】
ユーザ機器（ＵＥ）により用いられる装置であって、
無線通信ネットワークを介してｅＮＢ（evolved  Node  B）と通信するよう構成される通信モジュールと、
前記通信モジュールに結合されるＣｏＭＰ（coordinated  multipoint）モジュールであって、
前記通信モジュールを介して、複数のＰＤＳＣＨ（physical  downlink  shared  channel）マッピング構成についてのＰＤＳＣＨリソース要素（ＲＥ）マッピングパラメータを含むＲＲＣ（radio  resource  control）送信を受信し、
前記通信モジュールを介して、前記ＰＤＳＣＨを受信するのに用いるために、前記通信モジュールの前記複数のＰＤＳＣＨマッピング構成のうちの第１のＰＤＳＣＨマッピング構成を示すＤＣＩ（downlink  control  information）を受信する、
よう構成されるＣｏＭＰモジュールと、
を有する装置。
【請求項２７】
前記ＰＤＳＣＨ  ＲＥマッピングパラメータは、複数のＣＲＳ（cell−specific  reference  signal）アンテナポート、ＣＲＳアンテナポートシフト、ＰＤＳＣＨ開始シンボル、マルチキャスト−ブロードキャスト単一周波数ネットワークサブフレーム構成、非ゼロ電力ＣＳＩ（channel  state  information）ＲＳ（reference  signal）識別子、又は前記個々のＰＤＳＣＨマッピング構成に関連付けられたＣＳＩプロセス識別子、を有する、請求項２６に記載の装置。
【請求項２８】
前記ＰＤＳＣＨ  ＲＥマッピングパラメータは、前記複数のＣＲＳアンテナポート及び前記ＣＲＳアンテナポートシフトを有し、前記複数のアンテナポート及び前記アンテナポートシフトは、ＣＲＳ構成パラメータに一緒に符号化される、請求項２７に記載の装置。
【請求項２９】
前記ＤＣＩメッセージは、前記ＵＥのための前記ＰＤＳＣＨを受信するために用いるべき第１のＰＤＳＣＨマッピング構成及び成分搬送波を示すキャリアアグリゲーション（ＣＡ）セル識別子フィールド（ＣＩＦ）を有する、請求項２６に記載の装置。
【請求項３０】
前記ＣＡ  ＣＩＦは、３個のビットを有し、２個の構成された成分搬送波のうちの１つ及び４個の構成されたＰＤＳＣＨマッピング構成のうちの１つを示す、請求項２９に記載の装置。
【発明の詳細な説明】
【技術分野】
【０００１】
本発明の実施形態は、概して、通信の分野に関し、より詳細には、無線通信システム内のダウンリンク協調マルチポイント通信のためのシグナリングに関する。
【背景技術】
【０００２】
協調マルチポイント（Coordinated  Multipoint：ＣｏＭＰ）システムは、無線ネットワーク内の種々の運用パラメータを向上させるために開発されている。３種類のＣｏＭＰシステム、つまり、ＪＴ（joint  transmission）、ＤＰＳ（dynamic  point  selection）及びＣＳ／ＣＢ（cooperative  scheduling  and  cooperative  beamforming）がある。ＪＴ  ＣｏＭＰでは、サービングポイント、例えばｅＮＢ（enhanced  node  base  station）、及び協調ポイント、例えば別のｅＮＢの両者が、同じデータをユーザ機器（user  equipment：ＵＥ）へ送信しても良い。ＤＳＰ  ＣｏＭＰでは、送信ポイントは、異なる候補、例えばマクロノードｅＮＢ及びピコノードｅＮＢの間で動的に選択されても良い。ＣＳ／ＣＢ  ＣｏＭＰでは、協調ノードは、干渉チャネルの干渉を抑制しても良い。しかしながら、ｅＮＢは、ＵＥとのＣｏＭＰ通信の効果的な管理のための十分な制御及びシグナリングメカニズムを有しない。
【発明の概要】
【発明が解決しようとする課題】
【０００３】
本発明の実施形態は、無線通信システム内のダウンリンク協調マルチポイント通信のためのシグナリングのための装置及び方法を提供する。
【図面の簡単な説明】
【０００４】
実施形態は、添付の図面と関連して以下の詳細な説明により直ちに理解されるだろう。この説明を容易にするために、類似の参照符号は類似の構造的要素を示す。
【０００５】
実施形態は、添付の図面の図において例として示され、限定ではない。
【図１】種々の実施形態による、ユーザ機器（ＵＥ）と複数の関連Ｎｏｄｅ  Ｂ（ｅＮＢ）とを含む無線通信ネットワークを概略的に示す。
【図２】種々の実施形態による、非周期的ＣＳＩフィードバックをトリガするためにチャネル状態情報（ＣＳＩ）要求フィールドの値をマッピングするテーブルである。
【図３】種々の実施形態による、別のＣＳＩ要求フィールドの値をマッピングするテーブルである。
【図４】種々の実施形態による、非周期的ＣＳＩフィードバックをトリガするＣＳＩプロセスのセットに含まれる１又は複数のＣＳＩプロセスを示すために用いられ得るビットマップを示す。
【図５】種々の実施形態による、ＵＥにより実行され得る非周期的ＣＳＩフィードバックをトリガする方法を示すフローチャートである。
【図６】種々の実施形態による、ＣＲＳ（cell−specific  reference  signal）構成パラメータの値を、多数のＣＲＳアンテナポート及びＣＲＳ周波数シフトの対応する値にマッピングするテーブルである。
【図７】種々の実施形態による、例示的なシステムを概略的に示す。
【発明を実施するための形態】
【０００６】
本開示の説明のための実施形態は、無線通信ネットワーク内のダウンリンク協調マルチポイント通信をサポートするためにシグナリングする方法、システム、コンピュータ可読媒体、及び装置を含むが、これらに限定されない。
【０００７】
説明のための実施形態の種々の態様は、当業者の業務内容を他の当業者に伝達するために当業者により通常用いられる用語を用いて記載される。しかしながら、代替の実施形態が記載の態様の一部のみを用いて実施できることが蝶業者には明らかである。説明を目的として、説明のための実施形態の完全な理解を提供するために、特定の数値、材料、及び構成が説明される。しかしながら、当業者は、代替の実施形態がそのような特定の詳細にかかわらず実施できることを理解するだろう。他の例では、説明のための実施形態を不明瞭にしないために、よく知られている特徴は省略され又は簡略化される。
【０００８】
さらに、種々の動作は、複数の別個の動作として、説明のための実施形態の理解に最も有用な方法で記載される。しかしながら、記載の順序はこれらの動作が必ずしも順序に依存していることを示唆しない。特に、これらの動作は、提示の順序で実行される必要はない。
【０００９】
表現「幾つかの実施形態では」は、繰り返し用いられる。この表現は、通常、同じ実施形態を参照しない。しかしながら、同じ実施形態を参照する場合もある。用語「有する、含む、備える（comprising、having、including）」は、特に断りのない限り、同義である。表現「Ａ及び／又はＢ」は、（Ａ）、（Ｂ）、又は（Ａ及びＢ）を意味する。表現「Ａ／Ｂ」は、表現「Ａ及び／又はＢ」と同様に、（Ａ）、（Ｂ）、又は（Ａ及びＢ）を意味する。表現「Ａ、Ｂ及びＣのうちの少なくとも１つ」は、（Ａ）、（Ｂ）、（Ｃ）、（Ａ及びＢ）、（Ａ及びＣ）、（Ｂ及びＣ）又は（Ａ、Ｂ及びＣ）を意味する。表現「（Ａ）Ｂ」は、（Ｂ）又は（Ａ及びＢ）を意味し、つまりＡは任意である。
【００１０】
本願明細書では特定の実施形態が図示され説明されたが、本開示の実施形態の範囲から逸脱することなく広範な代替の及び／又は等価な実施が示され説明された特定の実施形態の代用になりうることが当業者に理解されるだろう。本願は、本願明細書で議論された実施形態の如何なる適応又は変形も包含することを意図している。従って、本開示の実施形態は特許請求の範囲及びその等価物によってのみ限定されることが明らかである。
【００１１】
本願明細書で用いられるように、用語「モジュール」は、１又は複数のソフトウェア若しくはフォームウェアプログラムを実行するＡＳＩＣ（Application  Specific  Integrated  Circuit）、電子回路、プロセッサ（共有、専用、又はグループ）、及び／又はメモリ（共有、専用、又はグループ）、組合せ論理回路、及び／又は記載の機能を提供する他の適切なコンポーネントを表し、その一部であり、又はそれを含んでも良い。
【００１２】
図１は、種々の実施形態による、無線通信ネットワーク１００を概略的に示す。無線通信ネットワーク１００（以後、「ネットワーク１００」）は、Ｅ−ＵＴＲＡＮ（evolved  universal  terrestrial  radio  access  network）のような３ＧＰＰ（３rd  Generation  Partnership  Project）ＬＴＥ（long−term  evolution）ネットワークのアクセスネットワークであっても良い。ネットワーク１００は、ユーザ機器（ＵＥ）１０８と無線で通信するよう構成される基地局、例えばｅＮＢ（enhanced  node  base  station）１０４を有しても良い。
【００１３】
少なくとも最初に、ｅＮＢ１０４は、ＵＥ１０８との確立された無線接続を有しても良く、ＣｏＭＰ測定セット内のサービングノードとして動作しても良い。ネットワーク１００の１又は複数の追加ｅＮＢ、例えばｅＮＢ１１２及び１１６も、ＣｏＭＰ測定セットに含まれても良い。ｅＮＢ１１２及び１１６は、ｅＮＢ１０４との協調を通じて、ＵＥ１０８との無線通信を実現するよう構成されても良い。１又は複数の追加ｅＮＢは、集合的に「協調ノード」と表されても良い。ｅＮＢは、協調ノードの役割とサービングノードの役割との間で遷移しても良い。
【００１４】
サービングノード及び協調ノードは、無線接続及び／又は有線接続（例えば、高速ファイババックホール接続）を介して互いに通信しても良い。
【００１５】
ｅＮＢは、それぞれ、通常、互いに同じ送信電力能力を有しても良い。或いは、代替で、ｅＮＢのうちの幾つかは、相対的に低い送信電力能力を有しても良い。例えば、一実施形態では、ｅＮＢ１０４はマクロｅＮＢのような相対的に高電力基地局であっても良く、一方で、ｅＮＢ１１２及び１１６は、相対的に低電力基地局、例えばピコｅＮＢ及び／又はフェムトｅＮＢであっても良い。
【００１６】
ｅＮＢ１０４は、１又は複数の成分搬送波を介してＵＥ１０８と通信するよう構成されても良い。各成分搬送波は、該成分搬送波での通信のために用いられる周波数帯域に関連付けられても良い。幾つかの実施形態では、ここの成分搬送波は、別個のセルと考えられても良い。幾つかの実施形態では、ｅＮＢ１０４は、キャリアアグリゲーションを用いて（異なる周波数の）複数の成分搬送波を介してＵＥ１０８と通信しても良い。ＵＥ１０８は、１次サービングセルの制御情報を受信しても良く、２次サービングセルの他の情報を受信しても良い。１次及び２次サービングセルは、個々の成分搬送波に関連付けられても良い。キャリアアグリゲーションは、ＣｏＭＰ通信に加えて又はその代わりに用いられても良い。
【００１７】
ＵＥ１０８は、互いに結合される通信モジュール１２０及びフィードバックモジュール１２４を有しても良い。ＵＥ１０８は、通信モジュール１２０及び／又はフィードバックモジュール１２４に結合されるＣｏＭＰモジュール１２８を更に有しても良い。通信モジュール１２０は、ネットワーク１００を介して無線通信するために、ＵＥ１０８の複数のアンテナ１３２のうちの１又は複数に更に結合されても良い。
【００１８】
ＵＥ１０８は、任意の適切な数のアンテナを有しても良い。種々の実施形態では、ＵＥ１０８は、少なくともｅＮＢからＵＥ１０８により受信される同時空間層若しくはストリームの数と同数のアンテナを有しても良い。しかしながら、本開示の範囲はこの点で限定されない。同時空間層又はストリームの数は、伝送ランク又は単にランクとして表されても良い。
【００１９】
アンテナ１３２のうちの１又は複数は、代替で、送信又は受信アンテナとして用いられても良い。代替又は追加で、アンテナ１３２のうちの１又は複数は、専用受信アンテナ又は専用送信アンテナであっても良い。
【００２０】
ｅＮＢ１０４は、少なくとも図示のように互いに結合される通信モジュール１３６、ＣｏＭＰ管理モジュール１４０、及び非周期的フィードバックモジュール１４４を有しても良い。通信モジュール１３６は、ｅＮＢ１０４の複数のアンテナ１５２のうちの１又は複数に更に結合されても良い。通信モジュール１３６は、１又は複数のＵＥ（例えば、ＵＥ１０８）と通信（例えば、送信及び／又は受信）しても良い。種々の実施形態では、ｅＮＢ１０４は、少なくともＵＥ１０８へ送信される送信ストリームの数と同数のアンテナを有しても良い。しかしながら、本開示の範囲はこの点で限定されない。アンテナ１５２のうちの１又は複数は、代替で、送信又は受信アンテナとして用いられても良い。代替又は追加で、アンテナ１５２のうちの１又は複数は、専用受信アンテナ又は専用送信アンテナであっても良い。
【００２１】
種々の実施形態では、ＵＥ１０８は、個々のセル（例えば、成分搬送波）に対する１又は複数のＣＳＩプロセスで構成されても良い。ＣＳＩプロセスは、関連するＣＳＩ参照信号（CSI  reference  signal：ＣＳＩ−ＲＳ）リソース及び／又は関連するＣＳＩ干渉測定（CSI  interference  measurement：ＣＳＩ−ＩＭ）リソースを有しても良い。幾つかの実施形態では、ＣＳＩ−ＲＳリソースは、非ゼロ電力（non−zero  power：ＮＺＰ）ＣＳＩ−ＲＳリソースであっても良い。ＵＥ１０８は、セルインデックス及び／又は（例えば、所与のセル内の）それぞれ構成されるＣＳＩプロセスに関連付けられるＣＳＩプロセス識別子（ＩＤ）を更に受信しても良い。１又は複数のＣＳＩプロセスは、無線リソース制御（radio  resource  control：ＲＲＣ）シグナリングを介するような上位層シグナリングを用いて（例えば、ｅＮＢ１０４により）ＵＥ１０８のために構成されても良い。ＣＳＩプロセスは、ＵＥ１０８とのダウンリンクＣｏＭＰ通信を実現するために、ｅＮＢ１０４に対するＣＳＩフィードバックを生成するために、ＵＥ１０８に対して用いられても良い。
【００２２】
種々の実施形態では、ＵＥ１０８のフィードバックモジュール１２４は、通信モジュール１２０を介して、ｅＮＢ１０４からのダウンリンク制御情報（downlink  control  information：ＤＣＩ）メッセージを受信しても良い。ＤＣＩメッセージは、例えば、物理ダウンリンク制御チャネル（physical  downlink  control  channel：ＰＤＣＣＨ）で受信されても良い。ＰＤＣＣＨは、幾つかの実施形態では、拡張ＰＤＣＣＨ（ＥＰＤＣＣＨ）又は他の種類のＰＤＣＣＨであっても良い。ＤＣＩメッセージは、ＵＥ１０８がｅＮＢ１０４へのＣＳＩフィードバックを提供する１又は複数のＣＳＩプロセスを示すために、ＣＳＩ要求フィールドを有しても良い。
【００２３】
したがって、ＤＣＩメッセージは、ＵＥ１０８によるＣＳＩフィードバックの非周期的報告を実現しても良い。幾つかの実施形態では、ＣＳＩ要求フィールドは、４個の可能な値のうちの１つを示すために２ビットであっても良い。ＣＳＩ要求フィールドの他の実施形態は、他のビット数を有しても良い。
【００２４】
フィードバックモジュール１２４は、示されたＣＳＩプロセスに対するＣＳＩフィードバックを生成しても良い。ＣＳＩフィードバックは、例えば、チャネル品質指示子（channel  quality  indicator：ＣＱＩ）、プリコーディング行列指示子（precoding  matrix  indicator：ＰＭＩ）、１又は複数の選択されたサブバンド、及び／又はＣＳＩプロセスのランク指示子（rank  indicator：ＲＩ）を有しても良い。次に、フィードバックモジュール１２４は、通信モジュール１２０を介して、生成したＣＳＩフィードバックを含むＣＳＩレポートをｅＮＢ１０４へ送信しても良い。ＣＳＩレポートは、例えば物理アップリンク共有チャネル（physical  uplink  shared  channel：ＰＵＳＣＨ）で送信されても良い。
【００２５】
図２は、幾つかの実施形態による、２ビットＣＳＩ要求フィールドの値をマッピングするテーブル２００を示す。テーブル２００に示すように、ＣＳＩ要求フィールドは、フィールドモジュール１２４が、構成されたＣＳＩプロセスの第１のセットに対するＣＳＩレポートをＵＥ１０８のサービングセルに提供することを示す値「０１」を有しても良い。サービングセルは、１次サービングセルであっても良い。１次サービングセルでは、ＵＥ１０８は、ＣＳＩ要求フィールドを含むＤＣＩを受信する。幾つかの実施形態では、ＵＥ１０８は、サービングセルを識別しても良い。サービングセルに対して、ＵＥ１０８は、ＵＥ１０８がＤＣＩを受信する成分搬送波に基づきＣＳＩフィードバックを提供する。
【００２６】
幾つかの実施形態では、値「０１」は、ＵＥ１０８が、サービングセルに関連する全てのＣＳＩプロセスについてのＣＳＩフィードバックを提供することを示しても良い（例えば、ＣＳＩプロセスの第１のセットは、サービングセルに関連する全てのＣＳＩプロセスを有しても良い）。他の実施形態では、ＣＳＩプロセスの第１のセットは、サービングセルに関連するＣＳＩプロセスのサブセット（つまり、全部より少ない）を有しても良い。例えば、ＣＳＩプロセスの第１のセットは、より上位のレイヤを介して（例えば、ＲＲＣシグナリングを介して）ＵＥ１０８のために構成されても良い。
【００２７】
種々の実施形態では、ＣＳＩ要求フィールドは、フィードバックモジュール１２４がＣＳＩプロセスの第２のセットについてのＣＳＩレポートを供給することを示す値「１０」を有しても良い。代替で、ＣＳＩ要求フィールドは、フィードバックモジュール１２４がＣＳＩプロセスの第３のセットについてのＣＳＩレポートを供給することを示す値「１１」を有しても良い。ＣＳＩプロセスの第２及び／又は第３のセットは、より上位のレイヤ（例えば、ＲＲＣシグナリング）により、例えばｅＮＢ１０４により、第２及び／又は第３のセットに含まれるＣＳＩプロセスを示すために構成されても良い。
【００２８】
第１、第２及び／又は第３のセットについてのＣＳＩレポートは、ＵＥ１０８とのダウンリンクＣｏＭＰ通信を管理するためにｅＮＢ１０４により用いられても良い。幾つかの実施形態では、第１、第２及び／又は第３のセットに対するＣＳＩレポートは、ＣｏＭＰ通信に加えて、ＵＥ１０８とのキャリアアグリゲーション通信を管理するためにｅＮＢ１０４により用いられても良い。ＣＳＩレポートフィールドは、キャリアアグリゲーション通信をサポートするためにＣＳＩレポートをトリガするために用いられるＣＳＩ要求フィールドと同様であっても良い。しかしながら、キャリアアグリゲーションのためのＣＳＩ要求フィールドは、特定のセル又はセルセットの１つのＣＳＩプロセスについてのＣＳＩレポートのみをトリガしても良く、所与のセルに関連する及び／又は異なるセルに関連する１より多いＣＳＩプロセスについてのＣＳＩレポートのトリガを許容しなくても良い。さらに、ＣＳＩプロセスの第２及び／又は第３のセットは、同じ周波数の異なるセル（例えば、異なるｅＮＢにより送信される同一周波数のセル）におけるＣＳＩプロセスを有しても良い。
【００２９】
幾つかの実施形態では、本願明細書に記載のＣＳＩ要求フィールドは、ＵＥ１０８がLTE  Advanced  Release  １１で定められるような送信モード１０で構成されるとき、用いられても良い。送信モード１０は、ＵＥとのＣｏＭＰ通信をサポートしても良い。送信モード１０では、ＵＥ１０８は、本願明細書に記載のように１又は複数のＣＳＩプロセスについてＣＳＩフィードバックを提供しても良い。ＵＥ１０８は、ＤＣＩフォーマット２Ｄを用いてスケジューリング情報を受信しても良い。幾つかの実施形態では、ＤＣＩフォーマット１Ａは、フォールバックモードとして用いられても良い。ＵＥ１０８は、サービングセル以外の他のセルのＰＤＳＣＨマッピングパラメータを受信しても良い。追加又は代替で、ＵＥ１０８は、ＰＤＳＣＨの復調のためにＵＥ固有参照信号を用いても良い。
【００３０】
ＣＳＩプロセスの第２及び／又は第３のセットは、任意の数の１又は複数のＣＳＩプロセスを有しても良い。幾つかの実施形態では、第２及び／又は第３のセットは、複数のＣＳＩプロセスを有しても良い。幾つかの実施形態では、第２及び第３のセットは、１又は複数の共通のＣＳＩプロセスを有しても良い（例えば、１又は複数のＣＳＩプロセスは、第２及び第３のセットの両方に含まれる）。他の実施形態では、第２及び第３のセットは、それぞれ、１つのＣＳＩプロセスのみを有しても良い。第２及び／又は第３のセットのＣＳＩプロセスは、サービングセルと異なるセルに関連する１又は複数のＣＳＩプロセスを有しても良い。追加又は代替で、第２及び／又は第３のセットは、異なるセルに関連する複数のＣＳＩプロセスを有しても良い。
【００３１】
種々の実施形態では、ＣＳＩ要求フィールドは、いかなる非周期的ＣＳＩレポートもＤＣＩメッセージによりトリガされないことを示すために、値「００」を有しても良い。値「００」は、例えば、非周期的ＣＳＩレポートをトリガする以外の別の目的でＤＣＩメッセージがＵＥ１０８へ送信されるとき、用いられても良い。
【００３２】
２ビットＣＳＩ要求フィールドの特定の値がテーブル２００に示されるが、テーブル２００に示したものと異なっても良い任意の適切な方法で、値が対応する動作にマッピングされても良いことが明らかである。例えば、別の実施形態では、値「００」は、ＣＳＩプロセスの第１のセットについてのＣＳＩレポートをトリガしても良い。
【００３３】
本願明細書に記載のように、ＣＳＩ要求フィールドは、ＣＳＩプロセスのセットについてのＣＳＩレポートをトリガするために、ｅＮＢ１０４により用いられても良い。ｅＮＢ１０４は、ｅＮＢ１０４がＵＥ１０４からのＣＳＩフィードバックを要求するＣＳＩプロセスのセットを動的に変更しても良い。ｅＮＢ１０４の非周期的フィードバックモジュール１４４は、ＣＳＩレポートを受信しても良い。また、ＣｏＭＰ管理モジュール１４０は、ＵＥとのダウンリンクＣｏＭＰ通信を管理するために、ＣＳＩレポートに含まれるＣＳＩフィードバック情報を用いても良い。
【００３４】
他の実施形態では、ＣＳＩ要求フィールドは、１ビットのみを有しても良い。このビットは、サービングセルの全てのＣＳＩプロセスについてのＣＳＩレポートをトリガするために、第１の値（例えば、「１」）を有しても良い。このビットは、いかなるＣＳＩレポートもＤＣＩメッセージによりトリガされない場合、第２の値（例えば、「０」）を有しても良い。１ビットのＣＳＩ要求フィールドは、例えば、ＵＥ１０８が（ＵＥ固有探索空間とは対照的に）ＰＤＣＣＨ復号化のための共通探索空間を有する送信モードを使用しているとき、用いられても良い。
【００３５】
図３は、別の実施形態による、２ビットＣＳＩ要求フィールドの値をマッピングするテーブル３００を示す。図３に示すように、２ビットＣＳＩ要求フィールドは、ＵＥ１０８がＣＳＩプロセスの第１のセットについてのＣＳＩレポートを提供することを示すために値「０１」を、又はＵＥ１０８がＣＳＩプロセスの第２のセットについてのＣＳＩレポートを提供することを示すために値「１０」を有しても良い。ＣＳＩ要求フィールドは、ＵＥ１０８がＣＳＩプロセスの第１及び第２のセットの両方についてのＣＳＩレポートを提供することを示すために、値「１１」を更に有しても良い。ＣＳＩ要求フィールドは、いかなる非周期的ＣＳＩレポートもＤＣＩメッセージによりトリガされないことを示すために、値「００」を有しても良い。
【００３６】
図２及び３に示した構成以外のＣＳＩ要求フィールドの他の適切な構成が、ＣＳＩプロセスの異なるセットについての非周期的ＣＳＩレポートをトリガするために用いられても良いことが明らかである。例えば、別の実施形態では、ＣＳＩ要求フィールドは、テーブル３００に示したものと同様であっても良いが、ＵＥ１０８がサービングセルのために構成されるＣＳＩプロセスのセットについてのＣＳＩレポートを提供することを示すために値「００」を有する。
【００３７】
種々の実施形態では、ＣＳＩ要求フィールドによるＣＳＩレポートをトリガされ得るＣＳＩプロセスのセット（例えば、上述の第１、第２及び／又は第３のセット）は、個々のビットマップを用いてｅＮＢ１０４により構成されても良い。ビットマップは、どのＣＳＩプロセスがＣＳＩプロセスの所与のセットに含まれるかを示すために、ｅＮＢ１０４により（例えば、ＲＲＣシグナリングを介して）ＵＥ１０８へ送信されても良い。例えば、図４は、種々の実施形態によるビットマップ４００を示す。ビットマップ４００は、複数のビット（例えば、ビットｂ０、ｂ１、．．．、ｂＮＫ−１）を示す。個々のビットは、ＣＳＩプロセスがビットマップ４００により定められるＣＳＩプロセスのセットに含まれるかどうかを示すために、個々のＣＳＩプロセスに対応しても良い。ビットは、セルインデックスに従ってビットマップ４００内で（例えば、セルインデックスの昇順に）順序付けられても良い。また、同じセルインデックスに関連するＣＳＩプロセスに対応するビットは、それらの個々のＣＳＩ  ＩＤにより順序付けられても良い。例えば、ビットマップ４００は、（例えば、セルインデックス０乃至セルインデックスＫを有する）Ｋ＋１個の成分搬送波に対応するビットを有する。各成分搬送波は、最大Ｎ個の構成されるＣＳＩプロセスを有しても良い。同じセルインデックスを有するＣＳＩプロセスに対応するビットのグループは、ビットマップ４００内に、セルインデックスの昇順に配置される（例えば、セルインデックス０のＣＳＩプロセスに対応するビット（ｂ０−ｂＮ−１）は、ビットマップ４００内で、セルインデックス１のＣＳＩプロセスに対応するビット（ｂＮ−ｂ２Ｎ−１）の前に配置される）。同じセルインデックスを有するＣＳＩプロセスに対応するビットのグループ内では、ビットは、ＣＳＩプロセスＩＤの昇順に順序付けられる。例えば、ビットｂ０はセルインデックス０及びＣＳＩプロセスＩＤ０を有するＣＳＩプロセスに対応し、ビットｂ１はセルインデックス０及びＣＳＩプロセスＩＤ１を有するＣＳＩプロセスに対応する、等である。
【００３８】
上述のように、ｅＮＢ１０４は、非周期的ＣＳＩレポートのためのＣＳＩプロセスの異なるセットを定めるために、ビットマップ４００と同様の複数のビットマップを送信しても良い。次に、個々のセットについての非周期的ＣＳＩレポートは、本願明細書に記載のようなＣＳＩ要求フィールドを含むＤＣＩメッセージによりトリガされても良い。幾つかの実施形態では、非周期的ＣＳＩレポートのためのＣＳＩプロセスのセットを定めるためのビットマップは、（例えば、ＵＥ１０８がｅＮＢ１０４とＲＲＣ接続されると）ＣＳＩプロセス構成プロセスの部分として送信されても良い。例えば、ｅＮＢ１０４のＣｏＭＰ管理モジュール１４０は、個々のＣＳＩプロセスのＣＳＩプロセス構成情報（例えば、ＣＳＩ−ＲＳリソース及び／又はＣＳＩ−ＩＭリソース）と同時にビットマップを送信しても良い。追加又は代替で、ビットマップは、非周期的ＣＳＩレポートのためのＣＳＩプロセスのセットを定める及び／又は変更するために、ＣＳＩプロセス構成情報とは別個に送信されても良い。
【００３９】
幾つかの実施形態では、ｅＮＢ１０４のＣｏＭＰ管理モジュール１４０は、個々のＣＳＩプロセスに関連するcodebookSubsetRestnctionパラメータを更に送信しても良い。codebookSubsetRestnctionパラメータは、ＣＳＩプロセスの構成の部分として送信されても良い。codebookSubsetRestnctionパラメータは、個々のＣＳＩプロセスについてのＣＳＩレポートのためにＵＥ１０４により用いられるべきコードブックの中のＰＭＩのサブセットを示しても良い。代替又は追加で、codebookSubsetRestnctionパラメータは、各ＮＺＰ  ＣＳＩ−ＲＳリソース及び／又はサブフレームのサブセットのために構成されても良い。
【００４０】
幾つかの実施形態では、ｅＮＢ１０４は、複数の構成されるＣＳＩプロセスの間の１又は複数のＣＳＩ依存性を構成しても良い。例えば、ｅＮＢ１０４は、ＵＥ１０８が同じランクの及び／又は同じ好適なサブバンドに渡る複数のＣＳＩプロセスについてＣＳＩフィードバックをレポートすることを示しても良い。
【００４１】
上述のように、ＵＥ１０８のフィードバックモジュール１２４は、ＣＳＩ要求フィールドによりトリガされる１又は複数のＣＳＩプロセスについてのＣＳＩフィードバックを生成しても良い。ＣＳＩフィードバックは、ＣＳＩプロセスのために構成されるＣＳＩ−ＲＳリソース及び／又はＣＳＩ−ＩＭリソースに基づき生成されても良い。ＣＳＩフィードバックは、例えば、ＣＱＩ、ＰＭＩ、１又は複数の選択されたサブバンド、及び／又はＣＳＩプロセスのＲＩを有しても良い。ＵＥ１０８は、ＣＳＩレポート内で、ｅＮＢ１０４へＣＳＩフィードバックを送信しても良い。
【００４２】
幾つかの実施形態では、複数のＣＳＩプロセスについてのＣＳＩフィードバックは、同じＣＳＩレポート内で連結されても良い。例えば、複数のＣＳＩプロセスについてのＣＳＩフィードバックは、ＣＳＩプロセスインデックス及び／又はＣＳＩプロセスのセルインデックスに従って連結されても良い。一実施形態では、同じ成分搬送波に関連する（例えば、同じセルインデックスを有する）ＣＳＩプロセスのグループについてのＣＳＩフィードバックは、ＣＳＩレポート内で、セルインデックスの昇順で順序付けられても良い。ＣＳＩフィードバックは、同じセルインデックスを有する個々のＣＳＩプロセスのＣＳＩプロセスインデックスの昇順で、個々のグループ内に配置されても良い。
【００４３】
幾つかの例では、第１のＣＳＩプロセスについてのＣＳＩフィードバックの１又は複数の成分は、第２のＣＳＩプロセスについてのＣＳＩフィードバックの１又は複数の成分と同じであっても良い。例えば、第１及び第２のＣＳＩプロセスについてレポートされるＲＩは、同じであっても良い。幾つかの実施形態では、共通成分（例えば、本例ではＲＩ）は、第１のＣＳＩプロセス及び第２のＣＳＩプロセスについてのＣＳＩレポートから省略されても良い。これは、ＣＳＩレポートのために必要な帯域幅を削減し得る。
【００４４】
幾つかの実施形態では、ＣＳＩレポートは、ターボ符号化及び／又はＣＲＣ（cyclic  redundancy  check）符号化を用いて符号化されても良い。例えば、ターボ符号化及び／又はＣＲＣ符号化は、ＣＱＩ及びＰＭＩレポートを符号化するために用いられても良い。これは、大きなペイロードサイズを有するＣＳＩレポートを有することを容易にし得る。
【００４５】
図５は、種々の実施形態による非周期的ＣＳＩフィードバックをトリガする方法５００を示すフローチャートである。方法５００は、ＵＥ１０８のようなＵＥにより実行されても良い。幾つかの実施形態では、ＵＥは、実行されるとＵＥに方法５００を実行させる命令を格納された１又は複数のコンピュータ可読媒体を有し及び／又はそれへのアクセスを有しても良い。追加又は代替で、幾つかの実施形態では、ＵＥは、方法５００を実行するための回路を有しても良い。
【００４６】
５０４で、ＵＥは、無線通信ネットワーク（例えば、ネットワーク１００）を介して、ｅＮＢ（例えば、ｅＮＢ１０４）から第１のビットマップ（例えば、ビットマップ４００）を受信しても良い。第１のビットマップは、ＣＳＩプロセスの第１のセットに含まれる１又は複数のＣＳＩプロセスを有しても良い。例えば、第１のビットマップは複数のビットを有し、個々のビットはＣＳＩプロセスがＣＳＩプロセスの第１のセットに含まれるかどうかを示すために、個々のＣＳＩプロセスに対応しても良い。個々のビットは、対応するＣＳＩプロセスが第１のセットに含まれることを示すために第１の値（例えば、「１」）を、又は対応するＣＳＩプロセスが第１のセットに含まれないことを示すために第２の値（例えば、「０」）有しても良い。幾つかの実施形態では、複数のビットは、ビットマップ内で、ＣＳＩプロセスのセルインデックスに従って（例えば、セルインデックスの昇順に）順序付けられても良く、同じセルインデックスを有するＣＳＩプロセスに対応するビットは、ＣＳＩプロセスのＣＳＩプロセスＩＤにより（例えば、ＣＳＩプロセスＩＤの昇順に）順序付けられても良い。
【００４７】
５０８で、ＵＥは、ｅＮＢから第２のビットマップを受信しても良い。第２のビットマップは、ＣＳＩプロセスの第２のセットに含まれる１又は複数のＣＳＩプロセスを有しても良い。第２のビットマップは、第１のビットマップについて上述したのと同様のビット配置を有しても良いが、異なるビットが第１の値（例えば、「１」）に設定される。幾つかの実施形態では、第１及び第２のセットは、１又は複数のＣＳＩプロセスを共通に有しても良い。
【００４８】
５１２で、ＵＥは、ｅＮＢからＤＣＩメッセージを受信しても良い。ＤＣＩメッセージは、ＵＥへのダウンリンクＣｏＭＰ送信をサポートするために、ＣＳＩフィードバックを要求するＣＳＩ要求フィールドを有しても良い。幾つかの実施形態では、ＣＳＩ要求フィールドは、４個の値のうちの１つを形成するために２ビットを有しても良い。ＣＳＩ要求フィールドは、ＵＥが（例えば、５０４で構成される）ＣＳＩプロセスの第１のセットについてＣＳＩフィードバックを提供することを示すために第１の値を、又は（例えば、５０８で構成される）ＣＳＩプロセスの第２のセットについてＣＳＩフィードバックを提供することを示すために第２の値を有しても良い。
【００４９】
５１６で、ＵＥは、ＣＳＩ要求フィールドにより示されるＣＳＩプロセスについてＣＳＩフィードバックを生成しても良い。
【００５０】
５２０で、ＵＥは、生成したＣＳＩフィードバックをｅＮＢへ送信しても良い。ＣＳＩフィードバックは、１又は複数のＣＳＩレポートに含まれても良い。
【００５１】
幾つかの実施形態では、ＣＳＩ要求フィールドは、ＵＥがＵＥのサービングセルのために構成されるＣＳＩプロセスのセットについてＣＳＩフィードバックを提供することを示すために、第３の値を有しても良い。サービングセルは、ｅＮＢがＣＳＩ要求フィールドを含むＤＣＩをＵＥへ送信する成分搬送波により識別されても良い。サービングセルのために構成されるＣＳＩプロセスのセットは、サービングセルのために構成される全てのＣＳＩプロセスを、又はサービングセルのために構成される全てのＣＳＩプロセスのうちのサブセットを有しても良い。
【００５２】
幾つかの実施形態では、ＣＳＩ要求フィールドは、いかなるＣＳＩレポートもＤＣＩメッセージによりトリガされないことを示すために、第４の値を有しても良い。
【００５３】
他の実施形態では、ＣＳＩ要求フィールドの第３又は第４の値は、ＵＥが（例えば、それぞれ５０４及び５０８で構成されるような）ＣＳＩプロセスの第１及び第２のセットの両方についてＣＳＩフィードバックを提供することを示すために用いられても良い。
【００５４】
種々の実施形態では、ＵＥ１０８は、ＰＤＳＣＨを受信するのに用いるために、ＵＥ１０８のためのＰＤＳＣＨ（physical  downlink  shared  channel）のリソース要素マッピング構成に関連する情報を受信しても良い。幾つかの実施形態では、ＵＥ１０８のＣｏＭＰモジュール１２８は、複数のＰＤＳＣＨマッピング構成についてのＰＤＳＣＨリソース要素マッピングパラメータを含むＲＲＣメッセージをｅＮＢ１０４から受信しても良い。ＰＤＳＣＨリソース要素マッピングパラメータは、例えば、セル固有参照信号（cell−specific  reference  signal：ＣＲＳ）アンテナポート数、ＣＲＳアンテナポートシフト、ＰＤＳＣＨ開始シンボル、個々のＰＤＳＣＨマッピング構成のマルチキャスト−ブロードキャスト単一周波数ネットワークサブフレーム構成を有しても良い。幾つかの実施形態では、ＰＤＳＣＨリソース要素マッピングパラメータは、ＰＤＳＣＨマッピング構成に関連する非ゼロ電力ＣＳＩ−ＲＳ識別子及び／又はＣＳＩプロセス識別子を更に有しても良い。ＰＤＳＣＨマッピング構成は、ＰＤＳＣＨマッピング構成ＩＤに（明示的又は暗示的に）更に関連しても良い。
【００５５】
任意の適切な数のＰＤＳＣＨマッピング構成が、ＵＥ１０８のために構成されても良い。例えば、一実施形態では、４個のＰＤＳＣＨマッピング構成が、ＵＥ１０８のために構成されても良い。幾つかのじっしでは、ＰＤＳＣＨマッピング構成は、一般的であっても良い（例えば、特定のセルに関連付けられなくても良い）。他の実施形態では、ＰＤＳＣＨマッピング構成は、それぞれ個々のセルに関連しても良い。
【００５６】
幾つかの実施形態では、ＣＲＳアンテナポート数及びＣＲＳアンテナポートシフトは、一緒に、ＣＲＳ構成パラメータに符号化されても良い。例えば、図６は、ＣＲＳ構成パラメータの値の、ＣＲＳアンテナポート数及びＣＲＳアンテナポートシフトの対応する値へのマッピングを示すテーブル６００を示す。テーブル６００に示すように、ＣＲＳ構成パラメータの第１の値（例えば、値０）は、ＰＤＳＣＨマッピング構成が４個のアンテナポート及び２サブフレーム分のＣＲＳ周波数シフトを有することを示しても良い。幾つかの実施形態では、ＰＤＳＣＨマッピング構成は、１、２、又は４のアンテナポート数を有しても良い。１個のアンテナポートを有するＰＤＳＣＨマッピング構成は、６個のＣＲＳ周波数シフトのうちの１つ（例えば、０、１、２、３、４又は５個のサブフレーム）を有しても良い。一方で、２又は４個のアンテナポートを有するＰＤＳＣＨマッピング構成は、３個のＣＲＳ周波数シフトのうちの１つ（例えば、０、１、又は２個のサブフレーム）を有しても良い。したがって、ＣＲＳアンテナポート数及びＣＲＳアンテナポートシフトを一緒に符号化することは、それらを別個に符号化するよりも１つ少ないビットしか必要としない。
【００５７】
種々の実施形態では、ＵＥ１０８は、ｅＮＢ１０４から、ＰＤＳＣＨを受信するために用いられるべきＵＥ１０８のための複数のＰＤＳＣＨマッピング構成のうちの１つのＰＤＳＣＨマッピング構成（例えば、第１のＰＤＳＣＨマッピング構成）を示すＤＣＩメッセージを受信しても良い。例えば、ＤＣＩメッセージは、上述のようにＲＲＣシグナリングを用いて構成されたＰＤＳＣＨマッピング構成のうちの１つに対応するＰＤＳＣＨマッピング構成ＩＤを有しても良い。幾つかの実施形態では、ＰＤＳＣＨマッピング構成ＩＤは、複数の構成された成分搬送波のうち、ＰＤＳＣＨがＵＥ１０８へ送信されるべき第１の成分搬送波を示す成分搬送波指示子と一緒に符号化されても良い。例えば、ＤＣＩメッセージは、ＵＥのためのＰＤＳＣＨを受信するために用いるべきＰＤＳＣＨマッピング構成及び成分搬送波を示すキャリアアグリゲーションＣＩＦ（cell  identification  field）を有しても良い。幾つかのじっしでは、ＣＩＦは３ビットであっても良い。３ビットのＣＩＦは、２個の成分搬送波のうちの１つ及び４個のＰＤＳＣＨマッピング構成のうちの１つを示すために、８個の異なる値を有しても良い。他の実施形態では、ＰＤＳＣＨマッピング構成ＩＤは、ＣＩＦとは別個のフィールドに含まれても良い。
【００５８】
ＵＥ１０８は、ＣｏＭＰ通信を介してＰＤＳＣＨを受信するために、ＰＤＳＣＨリソース要素マッピングパラメータを用いても良い。例えば、ＰＤＳＣＨリソース要素マッピングパラメータは、ＣＲＳ対ＰＤＳＣＨの衝突の回避を実現しても良い。ＪＴ（joint  transmission）ＣｏＭＰでは、ＵＥ１０８は、リソース要素ミューティング（muting）がＣＲＳ対ＰＤＳＣＨの衝突を軽減するために用いられるときのパターンを照合する瞬間レートを決定するために、マッピングパラメータを用いても良い。ＤＰＳ（dynamic  point  selection）では、マッピングパラメータは、リソース要素ミューティングの必要を回避するために用いられても良い。追加で、ＤＰＳでは、送信モード１、２、３及び４で、LTE−Advanced  Standard  Release  １１で提案されているように、ＵＥ１０８は、ＰＤＳＣＨの復調に用いられるべき固有ＣＲＳを決定するために、ＰＤＳＣＨリソース要素マッピングパラメータを用いても良い。
【００５９】
ＰＤＳＣＨマッピング構成がそれぞれ個々のセル（成分搬送波）に関連付けられる実施形態では、ＰＤＳＣＨを受信するために用いられるべきＵＥのためのＰＤＳＣＨマッピング構成を示すために、送信側セルがＵＥ１０８に示されても良い。幾つかの実施形態であｈ、キャリアアグリゲーション（ＣＡ）ＣＩＦは、（例えば、キャリアアグリゲーションに用いられないＣＩＦの値を用いて）ダウンリンクＣｏＭＰの送信側セルを示すために用いられても良い。他のビットサイズ及び／又は配置がＵＥ１０８のための使用すべきＰＤＳＣＨマッピング構成を示すために用いられても良いことが明らかである。
【００６０】
本願明細書に記載のｅＮＢ１０４／１１２／１１６及び／又はＵＥ１０８は、必要に応じて構成するために、任意の適切なハードウェア及び／又はソフトウェアを用いるシステムに実装されても良い。図７は、一実施形態について、例示的なシステム７００を示す。システム７００は、１又は複数のプロセッサ７０４、少なくとも１つのプロセス７０４に結合されるシステム制御ロジック７０８、システム制御ロジック７０８に結合されるシステムメモリ７１２、システム制御ロジック７０８に結合される不揮発性メモリ（ＮＶＭ）／記憶装置７１６、システム制御ロジック７０８に結合されるネットワークインタフェース７２０、及びシステム制御ロジック７０８に結合される入力／出力（Ｉ／Ｏ）装置７３２を有する。
【００６１】
プロセッサ７０４は、１又は複数のシングルコア又はマルチコアプロセッサを有しても良い。プロセッサ７０４は、汎用プロセッサ及び専用プロセッサ（例えば、グラフィックプロセッサ、アプリケーションプロセッサ、ベースバンドプロセッサ、等）の任意の組合せを有しても良い。
【００６２】
システム制御ロジック７０８は、一実施形態では、少なくとも１つのプロセッサ７０４に及び／又はシステム制御ロジック７０８と通信する任意の適切な装置若しくはコンポーネントに任意の適切なインタフェースを提供するために任意の適切なインタフェース制御装置を有しても良い。
【００６３】
システム制御ロジック７０８は、一実施形態では、システムメモリ７１２とのインタフェースを提供ｓる得ために１又は複数のメモリ制御装置を有しても良い。
【００６４】
システムメモリ７１２は、例えばシステム７００のためにデータ及び／又は命令をロード及び格納するために用いられても良い。システムメモリ７１２は、一実施形態では、例えば適切なＤＲＡＭ（dynamic  random  access  memory）のような任意の適切な揮発性メモリを有しても良い。
【００６５】
ＮＶＭ／記憶装置７１６は、例えばデータ及び／又は命令を格納するために用いられる１又は複数の有形非一時的コンピュータ可読媒体を有しても良い。ＮＶＭ／記憶装置７１６は、例えばフラッシュメモリのような任意の適切な不揮発性メモリを有しても良く、及び／又は例えば１又は複数のハードディスクドライブ（ＨＤＤ）、１又は複数のコンパクトディスク（ＣＤ）ドライブ、及び／又は１又は複数のＤＶＤ（digital  versatile  disk）ドライブのような任意の適切な不揮発性メモリを有しても良い。
【００６６】
ＮＶＭ／記憶装置７１６は、システム７００がインストールされる又はそれがアクセスされ得る装置の物理的一部である記憶リソースを有しても良いが、必ずしも該装置の一部である必要はない。例えば、ＮＶＭ／記憶装置７１６は、ネットワークインタフェース７２０によりネットワークを介して及び／又は入力／出力（Ｉ／Ｏ）装置７３２によりアクセスされても良い。
【００６７】
ネットワークインタフェース７２０は、１又は複数のネットワークを介して及び／又は任意の他の適切な装置と通信するための無線インタフェースをシステム７００に提供するために通信機７２２を有しても良い。通信機７２２は、ＵＥ１０８の通信モジュール１２０を実装し又はｅＮＢ１０４の通信モジュール１３６と通信しても良い。種々の実施形態では、通信機７２２は、システム７００の他のコンポーネントと統合されても良い。例えば、通信機７２２は、プロセッサ７０４のうちの１つのプロセッサ、システムメモリ７１２のメモリ、及びＮＶＭ／記憶装置７１６のＮＶＭ／記憶装置を有しても良い。ネットワークインタフェース７２０は、任意の適切なハードウェア及び／又はファームウェアを有しても良い。ネットワークインタフェース７２０は、複数入力、複数出力無線インタフェースを提供するために複数のアンテナを有しても良い。ネットワークインタフェース７２０は、一実施形態では、例えば、有線ネットワークアダプタ（例えば、Ｅｔｈｅｒｎｅｔ（登録商標）ネットワークアダプタ）、無線ネットワークアダプタ、電話モデム、及び／又は無線モデムを有しても良い。
【００６８】
一実施形態では、プロセッサ７０４のうちの少なくとも１つは、システム制御ロジック７０８の１又は複数の制御装置のためのロジックと一緒にパッケージ化されても良い。一実施形態では、プロセッサ７０４のうちの少なくとも１つは、システム制御ロジック７０８の１又は複数の制御装置のためのロジックと一緒にパッケージ化されて、ＳｉＰ（System  in  Package）を形成しても良い。一実施形態では、プロセッサ７０４のうちの少なくとも１つは、システム制御ロジック７０８の１又は複数の制御装置のためのロジックと同じダイに統合されても良い。一実施形態では、プロセッサ７０４のうちの少なくとも１つは、システム制御ロジック７０８の１又は複数の制御装置のためのロジックと同じダイに統合されてＳｏＣ（System  on  Chip）を形成しても良い。一実施形態では、プロセッサ７０４のうちの少なくとも１つは、ＮＶＭ／記憶装置７１６のメモリと一緒にパッケージ化されて、ＰｏＰ（package−on−package）を形成しても良い。例えば、メモリは、アプリケーションプロセッサに結合され、アプリケーションプロセッサと共にＰｏＰとして構成されても良い。
【００６９】
種々の実施形態では、Ｉ／Ｏ装置７３２は、システム７００とのユーザ相互作用を可能にするよう設計されるユーザインタフェース、周辺コンポーネントにシステム７００との相互作用を可能にする周辺コンポーネントインタフェース、及び／又はシステム７００に関連する環境条件及び／又は場所情報を決定するよう設計されるセンサを有しても良い。
【００７０】
種々の実施形態では、ユーザインタフェースは、ディスプレイ（例えば、液晶ディスプレイ、タッチスクリーンディスプレイ、等）、スピーカ、マイクロフォン、１又は複数のカメラ（例えば、スチルカメラ及び／又はビデオカメラ）、フラッシュライト（例えば、発光ダイオードフラッシュ）、及びキーボードを含み得るが、これらに限定されない。
【００７１】
種々の実施形態では、周辺コンポーネントは、不揮発性メモリポート、ＵＳＢ（universal  serial  bus）ポート、オーディオジャック、及び電源インタフェースを有しても良いが、これらに限定されない。
【００７２】
種々の実施形態では、センサは、ジャイロセンサ、加速度計、近傍センサ、周囲光センサ、及び位置決めユニットを含み得るが、これらに限定されない。位置決めユニットは、位置決めネットワーク、例えばＧＰＳ（global  positioning  system）衛星のコンポーネントと通信するためにネットワークインタフェース７２０の一部であり、又はそれと相互作用しても良い。
【００７３】
種々の実施形態では、システム７００は、ラップトップコンピューティング装置、タブレットコンピューティング装置、ノートブック、スマートフォン、等のようなモバイルコンピューティング装置であっても良いが、これらに限定されない。種々の実施形態では、システム７００は、より多くの又はより少ないコンポーネント及び／又は異なるアーキテクチャを有しても良い。
【実施例】
【００７４】
実施例１は、チャネル状態情報のフィードバックを実現するためにユーザ機器（ＵＥ）により用いられる装置であって、
無線通信ネットワークを介してｅＮＢ（evolved  Node  B）と通信するよう構成される通信モジュールと、
前記通信モジュールに結合されるフィードバックモジュールであって、
前記無線通信ネットワークを介して、前記ｅＮＢからＤＣＩ（downlink  control  information）メッセージを受信し、前記ＤＣＩメッセージは２ビットのＣＳＩ（channel  state  information）要求フィールドを有し、前記ＣＳＩ要求フィールドは、
前記フィードバックモジュールが、サービングセルに関連する予め構成されるＣＳＩプロセスの第１のセットについてのＣＳＩレポートを提供することを示すための第１の値と、
前記フィードバックモジュールが、予め構成されるＣＳＩプロセスの第２のセットについてのＣＳＩレポートを提供することを示すための第２の値と、又は
前記フィードバックモジュールが、予め構成されるＣＳＩプロセスの第３のセットについてのＣＳＩレポートを提供することを示すための第３の値と、を有し、
前記ＣＳＩ要求フィールドにより示されるＣＳＩプロセスについてＣＳＩフィードバックを生成し、
前記通信モジュールを介して、ＰＵＳＣＨ（physical  uplink  shared  channel）で前記ｅＮＢへＣＳＩレポートを送信し、前記ＣＳＩレポートは、前記生成したＣＳＩフィードバックを含む、
よう構成されるフィードバックモジュールと、
を有する装置を提供する。
【００７５】
実施例２は、前記ＤＣＩメッセージは第１のＤＣＩメッセージであり、前記フィードバックモジュールは第２のＤＣＩメッセージを受信するよう更に構成され、前記第２のＤＣＩメッセージは、いかなるＣＳＩレポートも前記第２のＤＣＩメッセージによりトリガされないことを示すための第４の値を有するＣＳＩ要求フィールドを有する、実施例１に記載の装置である。
【００７６】
実施例３は、ＣＳＩプロセスの前記第２及び第３のセットは、前記ＵＥとのＲＲＣ（radio  resource  control）シグナリングを介して構成される、実施例１に記載の装置である。
【００７７】
実施例４は、前記第１のセットは、前記ＵＥとのＲＲＣ（radio  resource  control）シグナリングを介して構成されるとき、前記サービングセルに関連する全てのＣＳＩプロセスより少ない部分集合を有する、実施例３に記載の装置である。
【００７８】
実施例５は、ＣＳＩプロセスのサブセットは、前記サービングセルを含む複数のセルのうちの個々のセルに関連する前記ＵＥのために、ＲＲＣシグナリングを介して構成され、前記ＵＥは、前記サービングセルで前記ＤＣＩメッセージを受信するのに基づき、前記サービングセルのために予め構成されたＣＳＩプロセスの前記第１のセットを識別する、実施例４に記載の装置である。
【００７９】
実施例６は、前記第１のセットは、前記サービングセルに関連する全てのＣＳＩプロセスを有する、実施例３に記載の装置である。
【００８０】
実施例７は、予め構成されたＣＳＩプロセスの前記第２及び第３のセットは、１又は複数の共通のＣＳＩプロセスを有する、実施例１に記載の装置である。
【００８１】
実施例８は、前記生成されたＣＳＩフィードバックは、ＣＱＩ（channel  quality  indicator）、ＰＭＩ（precoding  matrix  indicator）、１又は複数の選択されたサブバンド、又はＲＩ（rank  indicator）を有する、実施例１に記載の装置である。
【００８２】
実施例９は、個々のＣＳＩプロセスは、ＣＳＩ−ＲＳ（CSI  reference  signal）リソース及びＣＳＩ−ＩＭ（CSI  interference  measurement）リソースに関連付けられる、実施例１に記載の装置である。
【００８３】
実施例１０は、前記ＣＳＩフィードバックは、前記ＵＥへのダウンリンクＣｏＭＰ（coordinated  multipoint）送信をサポートする、実施例１乃至９のいずれか一項に記載の装置である。
【００８４】
実施例１１は、前記ＣＳＩレポートは、ＣＳＩプロセスインデックスの昇順に連結された複数のＣＳＩプロセスについてのＣＳＩフィードバックを有する、実施例１乃至９のいずれか一項に記載の装置である。
【００８５】
実施例１２は、前記通信モジュールに結合されるアプリケーションプロセッサと、前記アプリケーションプロセッサに結合され前記アプリケーションプロセッサと共にＰｏＰ（package−on−package）として構成されるメモリと、を有する実施例１乃至９のいずれか一項に記載の装置である。
【００８６】
実施例１３は、無線通信ネットワークのｅＮＢ（evolved  Node  B）により用いられる装置であって、
前記無線通信ネットワークを介するユーザ機器（ＵＥ）とのダウンリンクＣｏＭＰ（coordinated  multipoint）通信を管理するよう構成されるＣｏＭＰモジュールと、
前記ＣｏＭＰモジュールに結合される非周期的フィードバックモジュールであって、
前記ＵＥへＤＣＩ（downlink  control  information）メッセージを送信し、前記ＤＣＩメッセージは２ビットのＣＳＩ（channel  state  information）要求フィールドを有し、前記ＣＳＩ要求フィールドは、
前記ＵＥが、サービングセルに関連する予め構成されるＣＳＩプロセスの第１のセットについてのＣＳＩレポートを提供することを示すための第１の値と、
前記ＵＥが、予め構成されるＣＳＩプロセスの第２のセットについてのＣＳＩレポートを提供することを示すための第２の値と、又は
前記ＵＥが、予め構成されるＣＳＩプロセスの第３のセットについてのＣＳＩレポートを提供することを示すための第３の値と、を有し、
ＰＵＳＣＨ（physical  uplink  shared  channel）で前記ＵＥからＣＳＩレポートを受信し、前記ＣＳＩレポートは、前記ＣＳＩ要求フィールドにより識別されるＣＳＩプロセスについてのＣＳＩフィードバックを含み、前記ＣＳＩレポートは、前記ＵＥとの前記ダウンリンクＣｏＭＰ通信をサポートする、
よう構成される非周期的フィードバックモジュールと、
を有する装置である。
【００８７】
実施例１４は、前記ＤＣＩメッセージは第１のＤＣＩメッセージであり、前記非周期的フィードバックモジュールは第２のＤＣＩメッセージを受信するよう更に構成され、前記第２のＤＣＩメッセージは、いかなるＣＳＩレポートも前記第２のＤＣＩメッセージによりトリガされないことを示すための第４の値を有するＣＳＩ要求フィールドを有する、実施例１３に記載の装置である。
【００８８】
実施例１５は、予め構成されるＣＳＩプロセスの前記第２及び第３のセットは、前記ＵＥとのＲＲＣ（radio  resource  control）シグナリングを介して構成される、実施例１３に記載の装置である。
【００８９】
実施例１６は、前記第１のセットは、前記サービングセルに関連する全てのＣＳＩプロセスより少ないサブセットを有する、実施例１６に記載の装置である。
【００９０】
実施例１７は、前記第１のセットは、前記サービングセルに関連する全てのＣＳＩプロセスを有する、実施例１３に記載の装置である。
【００９１】
実施例１８は、予め構成されたＣＳＩプロセスの前記第２及び第３のセットは、１又は複数の共通のＣＳＩプロセスを有する、実施例１３乃至１７のいずれか一項に記載の装置である。
【００９２】
実施例１９は、前記生成されたＣＳＩフィードバックは、ＣＱＩ（channel  quality  indicator）、ＰＭＩ（precoding  matrix  indicator）、１又は複数の選択されたサブバンド、又はＲＩ（rank  indicator）を有する、実施例１３乃至１７のいずれか一項に記載の装置である。
【００９３】
実施例２０は、個々のＣＳＩプロセスは、ＣＳＩ−ＲＳ（CSI  reference  signal）リソース及びＣＳＩ−ＩＭ（CSI  interference  measurement）リソースに関連付けられる、実施例１３乃至１７のいずれか一項に記載の装置である。
【００９４】
実施例２１は、前記ＣｏＭＰ管理モジュールは、上位レイヤのシグナリングを介して前記ＵＥにおいて個々のＣＳＩプロセスを構成するよう更に構成され、前記ＣｏＭＰ管理モジュールは、ＣＳＩレポートのために前記ＵＥにより使用されるべきコードブック内のプリコーディングマトリックス指示子のサブセットを示すために、個々のＣＳＩプロセスに関連するcodebookSubsetRestnctionパラメータを送信するよう更に構成される、実施例２０に記載の装置である。
【００９５】
実施例２２は、Ethernet（登録商標）ネットワークアダプタを更に有する実施例１３乃至１７のいずれか一項に記載の装置である。
【００９６】
実施例２３は、ユーザ機器（ＵＥ）により用いられる装置である。前記装置は、回路であって、
無線通信ネットワークを介してｅＮＢ（evolved  Node  B）から第１のビットマップを受信し、前記第１のビットマップは、ＣＳＩ（channel  state  information）プロセスの第１のセットに含まれる１又は複数のＣＳＩプロセスを示し、
前記ｅＮＢから、ＣＳＩプロセスの第２のセットに含まれる１又は複数のＣＳＩプロセスを示す第２のビットマップを受信し、
前記ｅＮＢからＤＣＩ（downlink  control  information）メッセージを受信し、前記ＤＣＩメッセージは、前記ＵＥへのダウンリンクＣｏＭＰ（coordinated  multipoint）送信をサポートするためにＣＳＩフィードバックを要求するための２ビットのＣＳＩ要求フィールドを有し、前記ＣＳＩ要求フィールドは、
前記ＵＥがＣＳＩプロセスの前記第１のセットについてのＣＳＩフィードバックを提供することを示すための第１の値と、又は
前記ＵＥがＣＳＩプロセスの前記第２のセットについてのＣＳＩフィードバックを提供することを示すための第２の値と、を有する回路を有し、前記装置は、回路であって、
前記ＣＳＩ要求フィールドにより示されたＣＳＩプロセスについてＣＳＩフィードバックを生成し、
前記ｅＮＢへ前記生成されたＣＳＩフィードバックを含むＣＳＩレポートを送信する、回路を更に有する。
【００９７】
実施例２４は、前記ＤＣＩメッセージは第１のＤＣＩメッセージであり、前記第１のＤＣＩメッセージを受信する回路は、第２のＤＣＩメッセージを受信するよう更に構成され、前記第２のＤＣＩメッセージは、前記ＵＥがサービングセルのために構成されたＣＳＩプロセスの第３のセットについてのＣＳＩレポートを提供することを示す第３の値を有するＣＳＩ要求フィールドを有する、実施例２３に記載の装置である。
【００９８】
実施例２５は、前記第１のＤＣＩメッセージを受信する回路は、第３のＤＣＩメッセージを受信するよう更に構成され、前記第３のＤＣＩメッセージは、いかなるＣＳＩレポートも前記第３のＤＣＩメッセージによりトリガされないことを示すための第４の値を有するＣＳＩ要求フィールドを有する、実施例２４に記載の装置である。
【００９９】
実施例２６は、前記ＤＣＩメッセージは第１のＤＣＩメッセージであり、前記第１のＤＣＩメッセージを受信する回路は、第２のＤＣＩメッセージを受信するよう更に構成され、前記第２のＤＣＩメッセージは、前記ＵＥがＣＳＩプロセスの前記第１のセット及び前記第２のセットについてのＣＳＩレポートを提供することを示す第３の値を有するＣＳＩ要求フィールドを有する、実施例２３に記載の装置である。
【０１００】
実施例２７は、前記第１のビットマップは複数のビットを有し、ＣＳＩプロセスがＣＳＩプロセスの第１のセットに含まれるかどうかを示すために個々のビットは個々のＣＳＩプロセスに対応し、前記複数のビットは前記ビットマップ内でセルインデックスに従って順序付けられ、同じセルインデックスに関連するＣＳＩプロセスに対応する複数のビットは、ＣＳＩプロセス識別子（ＩＤ）により順序付けられる、実施例２３乃至２６のいずれか一項に記載の装置である。
【０１０１】
実施例２８は、前記第１及び第２のビットマップは、ＲＲＣ（radio  resource  control）シグナリングを介して受信される、実施例２３乃至２６のいずれか一項に記載の装置である。
【０１０２】
実施例２９は、ＣＳＩプロセスの前記第１及び第２のセットは、１又は複数の共通のＣＳＩプロセスを有する、実施例２３乃至２６のいずれか一項に記載の装置である。
【０１０３】
実施例３０は、前記ＣＳＩレポートは、ＰＵＳＣＨ（physical  uplink  shared  channel）で送信される、実施例２３乃至２６のいずれか一項に記載の装置である。
【０１０４】
実施例３１は、無線通信ネットワークのユーザ機器（ＵＥ）により用いられる装置であって、
前記ＵＥへのダウンリンクＣｏＭＰ送信をサポートするためにＣＳＩフィードバックをレポートするのに前記ＵＥにより使用するために個々のＣＳＩ（channel  state  information）プロセスに関連する構成情報を受信するＣｏＭＰ（coordinated  multipoint）モジュールと、
前記ＣｏＭＰモジュールに結合されるフィードバックモジュールであって、
複数の構成されたＣＳＩプロセスについてＣＳＩフィードバックを生成し、
前記ＣＳＩプロセスのＣＳＩプロセスインデックスに従って連結される前記複数の構成されたＣＳＩプロセスについてのＣＳＩフィードバックを有するＣＳＩレポートを生成し、
前記無線通信ネットワークのｅＮＢ（evolved  Node  B）へ前記ＣＳＩレポートを送信する、よう構成されるフィードバックモジュールと、
を有する装置である。
【０１０５】
実施例３２は、前記ＣＳＩレポートは、異なる成分搬送波のＣＳＩプロセスについてのＣＳＩフィードバックを有し、前記ＣＳＩフィードバックは、ＣＱＩ（channel  quality  indicator）、ＰＭＩ（precoding  matrix  indicator）、又はＲＩ（rank  indicator）を有し、前記ＣＳＩフィードバックは、先ず所与のセルのＣＳＩプロセスのＣＳＩプロセスインデックスの昇順に、次にセルインデックスの昇順に連結される、実施例３１に記載の装置である。
【０１０６】
実施例３３は、前記ＣＳＩレポートは、第１のＣＳＩプロセス及び第２のＣＳＩプロセスについてのＣＳＩフィードバックを有し、前記第１及び第２のＣＳＩプロセスの同じＣＳＩフィードバックの共有成分は、前記ＣＳＩレポート内で１回だけレポートされる、実施例３１に記載の装置である。
【０１０７】
実施例３４は、前記共有成分は、前記第１及び第２のＣＳＩプロセスに関連するＲＩ（rank  indicator）である、実施例３３に記載の装置である。
【０１０８】
実施例３５は、前記ＣＳＩレポートは、ターボ符号化及びＣＲＣ（cyclic  redundancy  check）符号化を用いて符号化される、実施例３１に記載の装置である。
【０１０９】
実施例３６は、ユーザ機器（ＵＥ）により用いられる装置であって、
無線通信ネットワークを介してｅＮＢ（evolved  Node  B）と通信するよう構成される通信モジュールと、
前記通信モジュールに結合されるＣｏＭＰ（coordinated  multipoint）モジュールであって、
前記通信モジュールを介して、複数のＰＤＳＣＨ（physical  downlink  shared  channel）マッピング構成についてのＰＤＳＣＨリソース要素（ＲＥ）マッピングパラメータを含むＲＲＣ（radio  resource  control）送信を受信し、
前記通信モジュールを介して、前記ＰＤＳＣＨを受信するのに用いるために、前記通信モジュールの前記複数のＰＤＳＣＨマッピング構成のうちの第１のＰＤＳＣＨマッピング構成を示すＤＣＩ（downlink  control  information）を受信する、
よう構成されるＣｏＭＰモジュールと、
を有する装置である。
【０１１０】
実施例３７は、前記ＰＤＳＣＨ  ＲＥマッピングパラメータは、セル固有参照信号（cell−specific  reference  signal：ＣＲＳ）アンテナポート数、ＣＲＳアンテナポートシフト、ＰＤＳＣＨ開始シンボル、個々のＰＤＳＣＨマッピング構成のマルチキャスト−ブロードキャスト単一周波数ネットワークサブフレーム構成を有する、実施例３６に記載の装置である。
【０１１１】
実施例３８は、前記ＰＤＳＣＨ  ＲＥマッピングパラメータは、前記複数のＣＲＳアンテナポート及び前記ＣＲＳアンテナポートシフトを有し、前記複数のアンテナポート及び前記アンテナポートシフトは、ＣＲＳ構成パラメータに一緒に符号化される、実施例３７に記載の装置である。
【０１１２】
実施例３９は、前記ＰＤＳＣＨ  ＲＥマッピングパラメータは、ＰＤＳＣＨマッピング構成に関連する非ゼロ電力ＣＳＩ（channel  state  information）ＲＳ（reference  signal）識別子又はＣＳＩプロセス識別子を更に有する、実施例３７に記載の装置である。
【０１１３】
実施例４０は、前記ＤＣＩメッセージは、前記ＵＥのための前記ＰＤＳＣＨを受信するために用いるべき第１のＰＤＳＣＨマッピング構成及び成分搬送波を示すキャリアアグリゲーション（ＣＡ）セル識別子フィールド（ＣＩＦ）を有する、実施例３６に記載の装置である。
【０１１４】
実施例４１は、前記ＣＡ  ＣＩＦは、３個のビットを有し、２個の構成された成分搬送波のうちの１つ及び４個の構成されたＰＤＳＣＨマッピング構成のうちの１つを示す、実施例４０に記載の装置である。
【０１１５】
実施例４２は、チャネル状態情報のフィードバックを実現するためにユーザ機器（ＵＥ）により用いられる装置であって、
ｅＮＢ（evolved  Node  B）からＤＣＩ（downlink  control  information）メッセージを受信する手段であって、前記ＤＣＩメッセージは２ビットのＣＳＩ（channel  state  information）要求フィールドを有し、前記ＣＳＩ要求フィールドは、
前記フィードバックモジュールが、サービングセルに関連する予め構成されるＣＳＩプロセスの第１のセットについてのＣＳＩレポートを提供することを示すための第１の値と、
前記フィードバックモジュールが、予め構成されるＣＳＩプロセスの第２のセットについてのＣＳＩレポートを提供することを示すための第２の値と、又は
前記フィードバックモジュールが、予め構成されるＣＳＩプロセスの第３のセットについてのＣＳＩレポートを提供することを示すための第３の値と、を有する、手段と、
前記ＣＳＩ要求フィールドにより示されるＣＳＩプロセスについてＣＳＩフィードバックを生成する手段と、
ＰＵＳＣＨ（physical  uplink  shared  channel）で前記ｅＮＢへＣＳＩレポートを送信する手段であって、前記ＣＳＩレポートは、前記生成したＣＳＩフィードバックを含む、手段と、
を有する装置である。
【０１１６】
実施例４３は、前記ＤＣＩメッセージは第１のＤＣＩメッセージであり、前記装置は、第２のＤＣＩメッセージを受信する手段を更に有し、前記第２のＤＣＩメッセージは、いかなるＣＳＩレポートも前記第２のＤＣＩメッセージによりトリガされないことを示すための第４の値を有するＣＳＩ要求フィールドを有する、実施例４２に記載の装置である。
【０１１７】
実施例４４は、ＣＳＩプロセスの前記第２及び第３のセットは、前記ＵＥとのＲＲＣ（radio  resource  control）シグナリングを介して構成される、実施例４２に記載の装置である。
【０１１８】
実施例４５は、前記第１のセットは、前記ＵＥとのＲＲＣ（radio  resource  control）シグナリングを介して構成されるとき、前記サービングセルに関連する全てのＣＳＩプロセスより少ないサブセットを有する、実施例４４に記載の装置である。
【０１１９】
実施例４６は、ＣＳＩプロセスのサブセットは、前記サービングセルを含む複数のセルのうちの個々のセルに関連する前記ＵＥのために、ＲＲＣシグナリングを介して構成され、前記ＵＥは、前記サービングセルで前記ＤＣＩメッセージを受信するのに基づき、前記サービングセルのために予め構成された前記第１のＣＳＩプロセスセットを識別する、実施例４５に記載の装置である。
【０１２０】
実施例４７は、前記第１のセットは、前記サービングセルに関連する全てのＣＳＩプロセスを有する、実施例４４に記載の装置である。
【０１２１】
実施例４８は、予め構成されたＣＳＩプロセスの前記第２及び第３のセットは、１又は複数の共通のＣＳＩプロセスを有する、実施例４２に記載の装置である。
【０１２２】
実施例４９は、前記生成されたＣＳＩフィードバックは、ＣＱＩ（channel  quality  indicator）、ＰＭＩ（precoding  matrix  indicator）、１又は複数の選択されたサブバンド、又はＲＩ（rank  indicator）を有する、実施例４２に記載の装置である。
【０１２３】
実施例５０は、個々のＣＳＩプロセスは、ＣＳＩ−ＲＳ（CSI  reference  signal）リソース及びＣＳＩ−ＩＭ（CSI  interference  measurement）リソースに関連付けられる、実施例４２に記載の装置である。
【０１２４】
実施例５１は、前記ＣＳＩフィードバックは、前記ＵＥへのダウンリンクＣｏＭＰ（coordinated  multipoint）送信をサポートする、実施例４２に記載の装置である。
【０１２５】
実施例５２は、前記ＣＳＩレポートは、ＣＳＩプロセスインデックスの昇順に連結された複数のＣＳＩプロセスについてのＣＳＩフィードバックを有する、実施例４２に記載の装置である。
【０１２６】
実施例５３は、ユーザ機器（ＵＥ）により用いられる装置であって、
無線通信ネットワークを介してｅＮＢ（evolved  Node  B）から第１のビットマップを受信する手段であって、前記第１のビットマップは、ＣＳＩ（channel  state  information）プロセスの第１のセットに含まれる１又は複数のＣＳＩプロセスを示す、手段と、
前記ｅＮＢから、ＣＳＩプロセスの第２のセットに含まれる１又は複数のＣＳＩプロセスを示す第２のビットマップを受信する手段と、
前記ｅＮＢからＤＣＩ（downlink  control  information）メッセージを受信する手段であって、前記ＤＣＩメッセージは、前記ＵＥへのダウンリンクＣｏＭＰ（coordinated
multipoint）送信をサポートするためにＣＳＩフィードバックを要求するための２ビットのＣＳＩ要求フィールドを有し、前記ＣＳＩ要求フィールドは、
前記ＵＥがＣＳＩプロセスの前記第１のセットについてのＣＳＩフィードバックを提供することを示すための第１の値と、又は
前記ＵＥがＣＳＩプロセスの前記第２のセットについてのＣＳＩフィードバックを提供することを示すための第２の値と、を有する、手段と、
前記ＣＳＩ要求フィールドにより示されたＣＳＩプロセスについてＣＳＩフィードバックを生成する手段と、
前記ｅＮＢへ前記生成されたＣＳＩフィードバックを含むＣＳＩレポートを送信する手段と、
を有する装置である。
【０１２７】
実施例５４は、前記ＤＣＩメッセージは第１のＤＣＩメッセージであり、前記第１のＤＣＩメッセージを受信する回路は、第２のＤＣＩメッセージを受信するよう更に構成され、前記第２のＤＣＩメッセージは、前記ＵＥがサービングセルのために構成されたＣＳＩプロセスの第３のセットについてのＣＳＩレポートを提供することを示す第３の値を有するＣＳＩ要求フィールドを有する、実施例５３に記載の装置である。
【０１２８】
実施例５５は、前記第１のＤＣＩメッセージを受信する回路は、第３のＤＣＩメッセージを受信するよう更に構成され、前記第３のＤＣＩメッセージは、いかなるＣＳＩレポートも前記第３のＤＣＩメッセージによりトリガされないことを示すための第４の値を有するＣＳＩ要求フィールドを有する、実施例５４に記載の装置である。
【０１２９】
実施例５６は、前記ＤＣＩメッセージは第１のＤＣＩメッセージであり、前記第１のＤＣＩメッセージを受信する回路は、第２のＤＣＩメッセージを受信するよう更に構成され、前記第２のＤＣＩメッセージは、前記ＵＥがＣＳＩプロセスの前記第１のセット及び前記第２のセットについてのＣＳＩレポートを提供することを示す第３の値を有するＣＳＩ要求フィールドを有する、実施例５３に記載の装置である。
【０１３０】
実施例５７は、前記第１のビットマップは複数のビットを有し、ＣＳＩプロセスがＣＳＩプロセスの第１のセットに含まれるかどうかを示すために個々のビットは個々のＣＳＩプロセスに対応し、前記複数のビットは前記ビットマップ内でセルインデックスに従って順序付けられ、同じセルインデックスに関連するＣＳＩプロセスに対応する複数のビットは、ＣＳＩプロセス識別子（ＩＤ）により順序付けられる、実施例５３に記載の装置である。
【０１３１】
実施例５８は、前記第１及び第２のビットマップは、ＲＲＣ（radio  resource  control）シグナリングを介して受信される、実施例５３に記載の装置である。
【０１３２】
実施例５９は、ＣＳＩプロセスの前記第１及び第２のセットは、１又は複数の共通のＣＳＩプロセスを有する、実施例５３に記載の装置である。
【０１３３】
実施例６０は、前記ＣＳＩレポートは、ＰＵＳＣＨ（physical  uplink  shared  channel）で送信される、実施例５３に記載の装置である。
【０１３４】
本願明細書では説明を目的として特定の実施形態が示され説明されたが、同じ目的を達成するために予測される広範な種々の代替の及び／又は等価な実施形態若しくは実装は、本開示の範囲から逸脱することなく、図示の及び記載の実施形態の代用になっても良い。本願は、本願明細書で議論された実施形態の如何なる適応又は変形も包含することを意図している。従って、本開示の実施形態は特許請求の範囲及びその等価物によってのみ限定されることが明らかである。
【０１３５】
［関連出願の参照］
本願は、米国特許出願第１３/７３０,２８９号、２０１２年１２月２８日出願、「SIGNALING  FOR  DOWNLINK  COORDINATED  MULTIPOINT  IN  A  WIRELESS  COMMUNICATION  SYSTEM」の優先権を主張する。米国特許出願第１３/７３０,２８９号は、米国特許仮出願第６１/６４６,２２３号、２０１２年５月１１日出願、「ADVANCED  WIRELESS  COMMUNICATION  SYSTEMSAND  TECHNIQUES」の優先権を主張する。これらの両開示は、参照することにより本願明細書に組み込まれる。
【図１】
2015521428.tif 000003
【図２】
2015521428.tif 000004
【図３】
2015521428.tif 000005
【図４】
2015521428.tif 000006
【図５】
2015521428.tif 000007
【図６】
2015521428.tif 000008
【図７】
2015521428.tif 000009
【国際調査報告】
2015521428.tif 000010
2015521428.tif 000011
2015521428.tif 000012